(57)【要約】  【課題】受信信号をプロバイダに応じた増幅度で増幅することにより、複数のプロバイダによる放送を受信することのできる受信回路及び受信方法を提供する。  【解決手段】サテライトラジオ１のアンテナ部受信回路１００は、放送電波を受信するアンテナエレメント１１０と、各々が所定の増幅度で信号を増幅する１段目〜３段目各々の第１の増幅器１２１，１４１及び１６１、及び、第２の増幅器１２２，１４２及び１６２と、選択したプロバイダに応じて、１段目〜３段目各々において第１あるいは第２いずれかの増幅器を選択する選択器１２０，１４０及び１６０を有する。また、バンドパスフィルタ１３０及びアッテネータ１５０はプロバイダによらず共通的に使用される。チューナ回路２００において利用者が選択したプロバイダに対応して、電源回路１７０を介して各選択器１２０，１４０及び１６０に選択信号が印加され有効な増幅器が選択されることにより、プロバイダごとの放送電波に対応した回路特性の受信回路が形成される。  【選択図】  図１
2005184646.tif 000002
【特許請求の範囲】
【請求項１】
複数のプロバイダからの放送電波を受信する受信回路であって、
前記放送電波を受信するアンテナと、
選択したプロバイダに応じて設定される増幅度で、前記アンテナで受信した信号を増幅する増幅回路と
を有する受信回路。
【請求項２】
前記増幅回路は、
各々が所定の増幅度で信号を増幅する複数の増幅器と、
前記選択したプロバイダに応じて、前記複数の増幅器より前記信号を増幅する増幅器を選択する選択回路と
を有する請求項１に記載の受信回路。
【請求項３】
前記アンテナで受信した信号に基づいて、当該受信した信号のプロバイダを判別するプロバイダ判別回路をさらに有し、
前記選択回路は、前記判別したプロバイダに応じて、前記複数の増幅器より前記信号を増幅する増幅器を選択する
請求項２に記載の受信回路。
【請求項４】
前記プロバイダ判別回路は、前記アンテナで受信した電界強度に基づいて、前記プロバイダを判別する
請求項３に記載の受信回路。
【請求項５】
前記プロバイダ判別回路は、前記アンテナで受信した電界強度から算出される電源電圧に基づいて、前記プロバイダを判別する
請求項３に記載の受信回路。
【請求項６】
前記放送電波は、衛星から送信されるラジオ放送の電波であって、衛星ラジオ放送を受信し、前記受信した信号を前記衛星ラジオ放送のプロバイダに応じた増幅度で増幅する
ことを特徴とする請求項１〜５のいずれかに記載の受信回路。
【請求項７】
複数のプロバイダからの放送電波を受信する方法であって、
前記放送電波を受信し、
選択したプロバイダに応じて設定される増幅度で、前記アンテナで受信した信号を増幅する
受信方法。
【発明の詳細な説明】
【技術分野】
【０００１】
本発明は、例えば衛星から送信されるデジタルラジオ放送を受信する衛星ラジオ（サテライトラジオ）等に搭載して好適な受信回路及び受信方法に関し、特に、複数の異なるプロバイダから提供される送信出力等の電気的特性の異なる放送電波を、各々適切に受信することのできる受信回路及び受信方法に関する
【背景技術】
【０００２】
衛星からデジタルラジオ放送を行う衛星デジタルラジオ放送が知られている。衛星デジタルラジオ放送は、衛星からの放送電波を受信して聴取するラジオ放送であるが、市街地のビルの影などで衛星からの電波が途切れた場合の対応として、リピータとしての地上中継局が設けられており、衛星からの電波か地上中継局で中継された電波かのいずれかを受信することにより放送を受信する形態が考えられている。
衛星デジタルラジオ放送は、複数のプロバイダによる提供が考えられており、各プロバイダは、音楽、スポーツ、ニュース及び娯楽番組等の番組を提供することが考えられている。
【０００３】
既存のＡＭ放送やＦＭ放送等の地上波ラジオ放送を含めてラジオ放送がもっとよく聴取される状況の１つは自動車の運転中と言える。従って、衛星からのデジタルラジオ放送を受信する車載用のサテライトラジオ受信機（以後、単にサテライトラジオと称する）も研究開発されている。
また、例えば、放送電波を受信可能な状態と受信不可能な状態とが変化した時に運転者や同乗者を驚かすような急激な音量変化を防止し、快適に受信したラジオ放送を快適に音声出力できるようなサテライトラジオ等も提案されている（例えば、特許文献１参照）。
【０００４】
【特許文献１】特開２００３−１５２５６９号公報
【発明の開示】
【発明が解決しようとする課題】
【０００５】
前述したように、衛星デジタルラジオ放送は、複数のプロバイダにより提供されることが考えられている。
しかしながら、衛星デジタルラジオ放送においては、プロバイダごとに送信される放送電波の電気的特性が異なるため、それぞれのプロバイダごとに専用の受信回路を使用する必要がある。具体的には、プロバイダによって放送電波の送信出力が異なるため、受信機において、受信した信号をプロバイダごとに別個の増幅度で増幅しなければならない。
【０００６】
従来のＡＭ放送やＦＭ放送等のラジオ放送を受信する受信回路においては、異なる放送局による放送を受信する場合は同調する周波数を調整して放送局を選択すればよく、同調し検波して取り出した後の信号処理回路は、放送局に因らず同一の回路を使用することができた。従って、増幅度等の回路特性を変更する必要はなく、アンテナや受信回路は同一の構成を使用できるようになっている。
【０００７】
しかしながら、衛星ラジオ放送においては、プロバイダによって電波の送信出力等の信号の特性が異なるため、同一の回路特性の受信回路で同等の品質で処理することはできない。仮に、例えば最も高い増幅度で増幅する必要のある信号に回路特性を合わせて受信回路を構成し、これにより複数のプロバイダからの放送電波を受信した場合、回路特性が適合しているプロバイダからの信号以外は、歪みのある信号となり、聴取不可能か、あるいは著しく品質の劣悪な音声信号を出力することとなり、使用に耐え得るものではない。
すなわち、従来の衛星ラジオ放送において、異なるプロバイダの衛星ラジオ放送を受信する受信機の間には互換性がなかった。
【０００８】
そのため利用者は、いずれか１つのプロバイダを選択し、そのプロバイダに対応したサテライトラジオを購入することとなり、その選択したプロバイダの提供する番組のみしか聴取することができなかった。
また、複数のプロバイダの衛星デジタルラジオ放送を受信したい場合には、受信したいプロバイダの数だけサテライトラジオを備えなければならなかった。
従って、仮に自動車において複数のプロバイダの衛星ラジオ放送を受信できるようにしようとすると、複数の受信機を設置する必要があり、部品点数が増大するとともに、コストが増大するという問題が生じた。
【０００９】
本発明はこのような課題に鑑みてなされたものであって、その目的は、放送電波を受信する受信回路であて、受信した信号を、送信元のプロバイダに応じた適切な増幅度で増幅することができ、これにより複数のプロバイダによる放送を適切に受信することのできる受信回路及び受信方法を提供することにある。
【課題を解決するための手段】
【００１０】
前記課題を解決するために、本発明に係る受信回路は、複数のプロバイダからの放送電波を受信する受信回路であって、前記放送電波を受信するアンテナと、選択したプロバイダに応じて設定される増幅度で、前記アンテナで受信した信号を増幅する増幅回路とを有する。
【００１１】
このような受信回路によれば、アンテナで受信した信号を、選択したプロバイダに応じて設定される増幅度で増幅している。従って、プロバイダごとに別の増幅度で増幅をすることができ、送信出力の異なる複数のプロバイダからの放送電波を共通的に受信し、各々適切に増幅し、例えば後段の信号処理回路等に出力することができる。
【００１２】
また、本発明に係る受信方法は、複数のプロバイダからの放送電波を受信する方法であって、アンテナにより前記放送電波を受信し、選択たプロバイダに応じて設定される増幅度で、前記アンテナで受信した信号を増幅する。
【発明の効果】
【００１３】
本発明によれば、放送電波を受信する受信回路であて、受信した信号を、送信元のプロバイダに応じた適切な増幅度で増幅することができ、これにより複数のプロバイダによる放送を適切に受信することのできる受信回路及び受信方法を提供することができる。
【発明を実施するための最良の形態】
【００１４】
本発明の一実施の形態のサテライトラジオについて、図１及び図２を参照して説明する。
本実施の形態においては、自動車に搭載され、複数のプロバイダが提供する衛星デジタルラジオ放送（以後、単に衛星ラジオ放送と称する）を受信することのできる衛星ラジオ放送受信機（サテライトラジオ）を例示して本発明を説明する。
【００１５】
図１は、本実施の形態のサテライトラジオを適用する衛星デジタルラジオ放送システムの全体の仕組みを説明するための図である。
図１に示すように、衛星デジタルラジオ放送（以後、単に衛星ラジオ放送と称する）は、衛星から送信される電波と、市街地のビルの影などで衛星からの電波が途切れた場合のリピータとしての役割を果たす地上波放送の電波とを受信することにより番組を継続的に聴取できるようになっている。
【００１６】
また、衛星ラジオ放送を提供するプロバイダは複数存在し、各プロバイダは異なる衛星から異なる電気的特性の放送電波を送信する。
また、各プロバイダは、例えば１００チャンネル程度の番組を提供する。
このような環境下で衛星ラジオ放送を受信するサテライトラジオについて、以下説明する。
なお、以下に説明するサテライトラジオは、プロバイダＡ及びプロバイダＢの２つのプロバイダからの衛星ラジオ放送を受信可能なラジオとする。
【００１７】
図２は、そのサテライトラジオの構成を示すブロック図である。
図２に示すように、サテライトラジオ１は、本発明に係るアンテナ部受信回路１００及びチューナ回路２００を有する。
アンテナ部受信回路１００は、アンテナエレメント１１０、初段アンプ切り換えスイッチ１２０、第１の初段アンプ（プロバイダＡ用Ｆ．ＬＮＡ）１２１、第２の初段アンプ（プロバイダＢ用Ｆ．ＬＮＡ）１２２、バンドパスフィルタ（ＢＰＦ）１３０、２段目アンプ切り換えスイッチ１４０、第１の２段目アンプ（プロバイダＡ用Ｓ．ＬＮＡ）１４１、第２の２段目アンプ（プロバイダＢ用Ｓ．ＬＮＡ）１４２、アッテネータ（ＡＴＴ）１５０、３段目アンプ切り換えスイッチ１６０、第１の３段目アンプ（プロバイダＡ用Ｔ．ＬＮＡ）１６１、第２の３段目アンプ（プロバイダＢ用Ｔ．ＬＮＡ）１６２及び電源回路１７０を有する。
【００１８】
アンテナエレメント１１０は、衛星からの放送電波を受信し、受信信号を初段アンプ切り換えスイッチ１２０に出力する。
【００１９】
初段アンプ切り換えスイッチ１２０は、電源回路１７０から入力される切り換え信号に基づいて、アンテナエレメント１１０から入力された信号を第１の初段アンプ１２１又は第２の初段アンプ１２２のいずれかに出力する。これにより、アンテナエレメント１１０で受信した信号がプロバイダＡからの放送電波である場合には、その受信信号は第１の初段アンプ１２１に出力され、アンテナエレメント１１０で受信した信号がプロバイダＢからの放送電波である場合には、その受信信号は第２の初段アンプ１２２に出力される。
【００２０】
第１の初段アンプ１２１及び第２の初段アンプ１２２は、電源回路１７０より電力を供給され、アンテナエレメント１１０で受信した信号を増幅する増幅回路であり、第１の初段アンプ１２１は、プロバイダＡからの放送電波に対する信号を増幅する回路であり、第２の初段アンプ１２２は、プロバイダＢからの放送電波に対する信号を増幅する回路である。アンテナエレメント１１０で受信した信号はごく微弱な信号である。したがって、第１の初段アンプ１２１又は第２の初段アンプ１２２においては、例えば、まずこの信号を、プロバイダごとに設定される所定の利得でそのまま高周波増幅する。
第１の初段アンプ１２１又は第２の初段アンプ１２２で増幅された信号は、バンドパスフィルタ１３０に出力される。
【００２１】
バンドパスフィルタ１３０は、第１の初段アンプ１２１又は第２の初段アンプ１２２で増幅された受信信号に対して、所望の周波数帯域の信号を通過させることによりその帯域の信号を取り出すフィルタである。バンドパスフィルタ１３０を通過した特定帯域の信号は、２段目アンプ切り換えスイッチ１４０に出力される。
【００２２】
２段目アンプ切り換えスイッチ１４０は、電源回路１７０から入力される切り換え信号に基づいて、バンドパスフィルタ１３０から入力された信号を第１の２段目アンプ１４１又は第２の２段目アンプ１４２のいずれかに出力する。これにより、アンテナエレメント１１０で受信した信号がプロバイダＡからの放送電波である場合には、その受信信号に基づくバンドパスフィルタ１３０からの信号は第１の２段目アンプ１４１に出力され、アンテナエレメント１１０で受信した信号がプロバイダＢからの放送電波である場合には、その受信信号に基づくバンドパスフィルタ１３０からの信号は第２の２段目アンプ１４２に出力される。
【００２３】
第１の２段目アンプ１４１及び第２の２段目アンプ１４２は、電源回路１７０より電力を供給され、バンドパスフィルタ１３０を通過した信号を増幅する増幅回路であり、第１の２段目アンプ１４１は、プロバイダＡからの放送電波に対する信号を増幅する回路であり、第２の２段目アンプ１４２は、プロバイダＢからの放送電波に対する信号を増幅する回路である。したがって、バンドパスフィルタ１３０を通過した信号は、第１の２段目アンプ１４１又は第２の２段目アンプ１４２においては、プロバイダごとに設定される所定の利得で増幅される。
第１の２段目アンプ１４１又は第２の２段目アンプ１４２で増幅された信号は、アッテネータ１５０に出力される。
【００２４】
アッテネータ１５０は、例えば信号が混変調している場合にこれを是正する等のために、入力される受信信号を意図的に減衰させてレベルを調整する減衰器である。アッテネータ１５０でレベルの調整された受信信号は、３段目アンプ切り換えスイッチ１６０に出力される。
【００２５】
３段目アンプ切り換えスイッチ１６０は、電源回路１７０から入力される切り換え信号に基づいて、アッテネータ１５０から入力された信号を第１の３段目アンプ１６１又は第２の３段目アンプ１６２のいずれかに出力する。これにより、アンテナエレメント１１０で受信した信号がプロバイダＡからの放送電波である場合には、その受信信号に基づくアッテネータ１５０からの信号は第１の３段目アンプ１６１に出力され、アンテナエレメント１１０で受信した信号がプロバイダＢからの放送電波である場合には、その受信信号に基づくアッテネータ１５０からの信号は第２の３段目アンプ１６２に出力される。
【００２６】
第１の３段目アンプ１６１及び第２の３段目アンプ１６２は、電源回路１７０より電力を供給され、アッテネータ１５０でレベルの調整された信号を増幅する増幅回路であり、第１の３段目アンプ１６１は、プロバイダＡからの放送電波に対する信号を増幅する回路であり、第２の３段目アンプ１６２は、プロバイダＢからの放送電波に対する信号を増幅する回路である。したがって、アッテネータ１５０から出力される信号は、第１の３段目アンプ１６１又は第２の３段目アンプ１６２においては、プロバイダごとに設定される所定の利得で増幅される。
第１の３段目アンプ１６１又は第２の３段目アンプ１６２で増幅された信号は、チューナ回路２００に出力される。
【００２７】
電源回路１７０は、各アンプ１２１，１２２，１４１，１４２，１６１及び１６２に電源を供給する電源回路である。
また、電源回路１７０は、チューナ回路２００より入力される利用者が選択したプロバイダに係る情報に基づいて、初段アンプ切り換えスイッチ１２０、２段目アンプ切り換えスイッチ１４０及び３段目アンプ切り換えスイッチ１６０に対して切り換え信号を出力する。
【００２８】
チューナ回路２００は、第１の３段目アンプ１６１あるいは第２の３段目アンプ１６２において増幅された信号より、所望のプログラムを選択し、図示せぬ車内のオーディオ装置のアンプ等の装置に出力する。
その結果、衛星ラジオ放送の所望の番組が、車内のスピーカから聴取可能に出力される。
また、チューナ回路２００は、利用者が聴取を選択したプロバイダの情報を、電源回路１７０に出力する。
【００２９】
また、チューナ回路２００には図示せぬ電界強度検出部を有しており、アンテナエレメント１１０で受信した信号の電界強度を検出し、これにより、アンテナエレメント１１０で受信しているプロバイダを判別する機能を有する。
チューナ回路２００においては、その電界強度の検出結果に基づいて、あるいは、その電界強度の検出結果から算出される電源電圧の値に基づいて、例えば好適に受信できるプロバイダの放送電波を選択する等、プロバイダを任意に選択するようにしてよい。
【００３０】
このような構成のサテライトラジオ１によれば、例えば運転者等の利用者が聴取しようとする衛星ラジオ番組をチューナ回路２００で選択すると、チューナ回路２００において、その番組を提供するプロバイダが検出される。
そして、チューナ回路２００により、アンテナ部受信回路１００の回路特性が、そのプロバイダの放送電波を受信可能な特性に設定される。具体的には、電源回路１７０を介して初段アンプ切り換えスイッチ１２０、２段目アンプ切り換えスイッチ１４０及び３段目アンプ切り換えスイッチ１６０に対して、そのプロバイダの放送電波を好適に受信するようにゲインを切りかえる切り換え信号が出力される。
【００３１】
アンテナエレメント１１０で受信した信号は、第１の初段アンプ１２１又は第２の初段アンプ１２２で増幅され、バンドパスフィルタ１３０で所望の帯域が選択され、第１の２段目アンプ１４１又は第２の２段目アンプ１４２で再度増幅され、アッテネータ１５０でレベルが調整され、第１の３段目アンプ１６１又は第２の３段目アンプ１６２でさらにゲインコントロールされ、チューナ回路２００に出力される。
アンテナ部受信回路１００は、その選択されたプロバイダの放送電波を適切に受信し再生できるように設定されているため、そのような処理を行うことにより、その所望のプロバイダの所望の番組が適切に受信できる。
【００３２】
このように、本実施の形態のサテライトラジオ１においては、プロバイダが異なっても共通的に使用できる回路はそのまま使用し、プロバイダに応じて回路特性を変更する必要のある回路のみプロバイダに応じて切り換えて使用するようにしている。
その結果、必要最低限の回路構成を追加するのみで，複数のプロバイダからの衛星ラジオ放送を受信することができる。
換言すれば、複数のプロバイダにより提供される衛星ラジオ放送を受信できるサテライトラジオを、低コストで実現することができる。
【００３３】
なお、本実施の形態は、本発明の理解を容易にするために記載されたものであって本発明を何ら限定するものではない。本実施の形態に開示された各要素は、本発明の技術的範囲に属する全ての設計変更や均等物をも含み、また任意好適な種々の改変が可能である。
【００３４】
たとえば、本実施の形態においては衛星ラジオ放送を受信するラジオを例示したが、ＡＭ放送やＦＭ放送等を含めて、放送電波の電気的特性の異なる複数種類の放送を受信する全ての装置に対して適用することができる。
【図面の簡単な説明】
【００３５】
【図１】図１は、本発明の一実施の形態のサテライトラジオを適用する衛星ラジオ放送システムを説明するための図である。
【図２】図２は、本発明の一実施の形態のサテライトラジオの構成を示すブロック図である。
【符号の説明】
【００３６】
１…サテライトラジオ
１００…アンテナ部受信回路
１１０…アンテナエレメント
１２０…初段アンプ切り換えスイッチ
１２１…第１の初段アンプ
１２２…第２の初段アンプ
１３０…バンドパスフィルタ
１４０…２段目アンプ切り換えスイッチ
１４１…第１の２段目アンプ
１４２…第２の２段目アンプ
１５０…アッテネータ
１６０…アライメント系
１６０…３段目アンプ切り換えスイッチ
１６１…第１の３段目アンプ
１６２…第２の３段目アンプ
１７０…電源回路
２００…チューナ回路
【図１】
2005184646.tif 000003
【図２】
2005184646.tif 000004